(57)【要約】      （修正有）【課題】画像通信装置において、ナンバーディスプレイの通信信号着信中に、画像通信装置の操作部のフックキーによるオフフックを無効にすることにより、通信エラーを無くし、ナンバーディスプレイ機能を安定に利用可能にする。【解決手段】画像通信装置は、操作部のフックキー７１によりオフフックするマニュアルオフフック手段と、電話回線４の極性反転を検出する検出手段５０９、５１０と、電話回線に着信する情報サービス信号を受信する受信手段と、検出手段により、極性反転を検出してから、受信手段による情報サービス信号の受信が完了するまで、マニュアルオフフック手段の操作を禁止するよう制御する制御手段１とを有する。【選択図】図５
2017034625.tif 000002
【特許請求の範囲】
【請求項１】
電話回線に接続可能で、ナンバーディスプレイ機能を有する画像通信装置であって、
操作部のフックキーによりオフフックするマニュアルオフフック手段と、 
電話回線の極性反転を検出する検出手段と、
前記電話回線に着信する情報サービス信号を受信する受信手段と、
前記検出手段により、極性反転を検出してから、前記受信手段による前記情報サービス信号の受信が完了するまで、前記マニュアルオフフック手段の操作を禁止するよう制御する制御手段とを
有することを特徴とする画像通信装置。 
【請求項２】
マニュアルオフフックが禁止されている時に、ユーザがオフフックを実施した場合は、前記ユーザに警告を通知する警告手段を有することを特徴とする請求項１に記載の画像通信装置。 
【請求項３】
前記警告手段は、音声または、操作部の表示器にメッセージを表示することを特徴とする請求項２に記載の画像通信装置。
【請求項４】
端末起動信号を受付ける受付手段と、
受信完了信号を送信する送信手段、
を更に有することを特徴とする請求項１に記載の画像通信装置。
【請求項５】
混触対策回路を更に有することを特徴とする請求項１に記載の画像通信装置。
【請求項６】
電話回線に接続可能で、ナンバーディスプレイ機能を有する画像通信装置であって、
操作部のフックキーによりオフフックするマニュアルオフフック手段と、 
電話回線に着信する端末起動信号を受信する第１の受信手段と、
前記電話回線に着信する情報サービス信号を受信する第２の受信手段と、
前記第１の受信手段により、端末起動信号を受信する前から、前記第２の受信手段による前記情報サービス信号の受信が完了するまで、前記マニュアルオフフック手段の操作を禁止することを特徴とする画像通信装置。 
【請求項７】
電話回線に接続可能で、オフフックするマニュアルオフフック手段を有し、ナンバーディスプレイ機能を有する画像通信装置の制御方法であって、
電話回線の極性反転を検出する検出工程と、
前記電話回線に着信する情報サービス信号を受信する受信工程と、
前記検出工程で極性反転を検出してから、前記受信工程で前記情報サービス信号の受信が完了するまで、前記マニュアルオフフック手段の操作を禁止するよう制御する制御工程とを有することを特徴とする画像通信装置の制御方法。 
【請求項８】
請求項７の画像通信装置の制御方法を、コンピュータが実行することにより実現するためのプログラム。
【発明の詳細な説明】
【技術分野】
【０００１】
本発明は、ファクシミリ通信用のＭＯＤＥＭと半導体ＤＡＡを回線混触ノイズから保護する保護機能を持ち、発信電話番号受信機能いわゆる、ナンバー・ディスプレイ（「ナンバー・ディスプレイ」は登録商標）機能に対応した画像通信装置に関する。
【背景技術】
【０００２】
近年、ファクシミリ通信用ＭＯＤＥＭと電話回線とのインターフェースに半導体IC化されたデータアクセス装置(Data Access Arrangement: 以下「ＤＡＡ」という。)を用いている。前記ＤＡＡは、NCU(網制御ユニット)の役割を果たすもので、半導体ICで構成されているものは、ＳＤＡＡ(Silicon ＤＡＡ)とも呼ばれる。
【０００３】
ファクシミリ通信部は、ＭＯＤＥＭとＤＡＡおよび呼出信号検出回路と、電話機のオフフック検出回路とEMIノイズ対策のディスクリート部品で構成されている。ＤＡＡは前述のように半導体IC化されているが周辺は、ディスクリート回路で構成されている。ここではＤＡＡの周辺のディスクリート回路も含めてＤＡＡということとする。
【０００４】
なお、国毎に通信規格等が異なることから、ＭＯＤＥＭとＤＡＡに、各国の国コードを設定することで、各国の規格に応じた設定値の設定が可能となっている。ファクシミリは、この設定値に応じた動作によって各国規格に対応が可能である。
【０００５】
呼出信号(CI)と電話機のオフフック検知は、それぞれ専用の回路で行っている。呼出信号の検知は、呼出信号検知回路で行い、電話機のオフフック検知は、オフフック検知回路或いは、ＤＡＡの回線捕捉機能で行っている。呼出信号検知後の回線捕捉は、ＤＡＡで行っているが、回線捕捉後も、交換機の呼出信号の停止が遅れ、呼出信号が数100msecの間、ＤＡＡに印加されることがある。この呼出信号は、残留呼出信号と呼ばれる。
【０００６】
ＤＡＡが回線捕捉中に、残留呼出信号がＤＡＡに印加された場合、高電圧によってＤＡＡ内部回路およびＤＡＡの周辺回路が破壊されることがある。この破壊現象を防止するため前記ＭＯＤＥＭとＤＡＡのチップセットには、前記残留呼出信号など高電圧ノイズによる回路破壊を防止する目的で混触対策機能を備えられている。
【０００７】
混触対策機能は回線に過大電圧が入力されることによって発生する過電流や過電圧を検知し、回路を保護する機能である。過電流・過電圧が所定値以上であると、ＤＡＡが、回線捕捉回路の直流抵抗を高く制御して、過大電圧や過大電流からＤＡＡおよびそれに付随する回路を保護する機能である。この混触対策機能により、回路破壊は防止することが可能である。
【０００８】
ＤＡＡを保護する機能は、前記の直流抵抗を高くして保護する方法のほかに、所定値よりも大きなノイズの場合は、回線捕捉回路を遮断し、回線を切り離す回線遮断機能がある。
【０００９】
また、ナンバーディスプレイ機能を有する画像通信装置は、回線契約によりナンバーディスプレイの回線サービスが利用可能である。そして、ナンバーディスプレイモード時には、画像通信装置の外付電話端子に接続される電話機は、通常、無鳴動に設定される。
【００１０】
ナンバーディスプレイ動作には、以下のような特有の信号シーケンスと手順がある。
公衆回線網から呼出信号(CI)が着信する前に、まず電話回線の極性が反転する。この後に情報受信端末起動信号(CAR)が着信する。前記CAR信号は、正弦波信号で電圧75Vrms、周波数16Hzで、信号形態は500msecのインターバルでON、OFFを繰り返すものである。
ナンバーディスプレイ対応の電話機や画像通信装置では前記CAR信号を検出し、回線を捕捉する。この回線捕捉時に一次応答信号を交換機に返す。前記一次応答信号後に、交換機から情報サービス信号(電話番号)がV.23に準拠した情報データとして着信し、これをＭＯＤＥＭで受信する。
【００１１】
続いて、前記情報サービス信号を受信後に電話回線を一旦、開放する。この回線開放までに電話番号については受信を完了しているので、受信完了信号を交換機に返す。
この後、呼出信号(CI)が到来する。このCI信号を検知し、回線を捕捉し、画像通信装置が起動する。すでに受信済みの電話番号が、画像通信装置の表示部に表示される。この他に発信元名称表示や発信元毎に呼出音を変えられる機能を有する機種もある。
また、外付電話機本体でナンバーディスプレイの機能を備えた機種もあり、その場合は、外付電話機本体で発信者の電話番号を表示させることも可能である。
【００１２】
従来技術として、公衆回線網から呼出信号の受信したときに、呼出信号に対して回線を捕捉する指示をユーザから受け付けた場合であっても、呼出信号(CI)の受信中である場合には回線を捕捉しないように制御するファクシミリ装置がある（特許文献１）。
該ファクシミリ装置は、ユーザが任意のタイミングでオフフックして、回線を捕捉する場合であっても、回線捕捉後に残留する呼出信号によって内部回路に過電流が流れることによる損傷を回避できるものである。
【先行技術文献】
【特許文献】
【００１３】
【特許文献１】特開2012-49647号公報  一方、ナンバーディスプレイの情報受信端末起動信号(CAR信号)は、電話機のリンガーは鳴動させない無鳴動でCAR信号の検知を行う。そして、一次応答(回線捕捉)し、V.23に準拠した情報サービス信号(電話番号)の受信を行う。ユーザは、上記動作状況を知ることができない。このため、従来技術の画像通信装置では、ユーザが上記情報受信端末起動信号(CAR信号)のタイミングや前記情報サービス信号を受信しているタイミングで操作部のフックキーによるマニュアルオフフックしてしまうことがある。
【００１４】
このように、ユーザによる外付電話機のハンドセットのオフフック、或いは、前記画像通信装置の操作部上のフックキーによるマニュアルオフフック操作が行われると、タイミングによっては、オフフック動作とCAR信号が衝突する。
【００１５】
そうすると、CAR信号が、残留呼出信号となり回路の破損や、回線が開放状態となる可能性がある。また、回線混触対策機能を有する画像通信装置では、回線混触対策機能が働き、回路保護のため電話回線が遮断されてしまうという問題が生じる。そうすると、通信が不可能となり、発呼側は、リダイヤルしなければならなくなる。
【００１６】
また、オフフック動作と情報サービス信号が衝突した場合には、情報サービス信号が受信不可となる。
【００１７】
さらには、CAR信号のインターバルの内の信号が無いタイミングで、オフフックした場合は、回線混触対策機能が働くことはないが、今度はCAR信号の後に到来する情報サービス信号(電話番号)が、受信できなくなる。このように、オフフックのタイミングによっては、正しいナンバーディスプレイ動作の通信ができない。
【発明の概要】
【発明が解決しようとする課題】
【００１８】
本発明は、画像通信装置において、ナンバーディスプレイの通信信号着信中に、画像通信装置の操作部のフックキーによるオフフックを無効にすることにより、通信エラーを無くし、ナンバーディスプレイ機能を安定して利用可能にすることを目的とする。
【課題を解決するための手段】
【００１９】
本発明は、ナンバーディスプレイ機能を有する画像通信装置であって、操作部のフックキーによりオフフックするマニュアルオフフック手段と、 電話回線の極性反転を検出する検出手段と、前記電話回線に着信する情報サービス信号を受信する受信手段と、前記検出手段により、極性反転を検出してから、前記受信手段による前記情報サービス信号の受信が完了するまで、前記マニュアルオフフック手段の操作を禁止するよう制御する制御手段とを有することを特徴とする。 
【発明の効果】
【００２０】
本発明によれば、画像通信装置において、ナンバーディスプレイの通信信号着信中に、画像通信装置の操作部のフックキーによるオフフックを無効にすることにより、通信エラーを無くし、ナンバーディスプレイ機能を安定して利用可能にすることができる。
【図面の簡単な説明】
【００２１】
【図１】本発明の画像通信装置の構成の一例を示すブロック図
【図２】本発明の通信部の構成の一例を示すブロック図
【図３】本発明のナンバーディスプレイの受信信号のタイミング図
【図４】本発明のナンバーディスプレイの情報サービス信号のタイミング図を示す図
【図５】本発明の回線制御部の構成の一例を示す図
【図６】実施例の受信時の動作を説明するための示すフローチャート
【発明を実施するための形態】
【００２２】
以下、本発明を実施するための実施の形態について、図面を用いて説明する
（実施例）
本発明に係るファクシミリ通信制御の一実施形態として画像通信装置に適用した場合について説明する。なお、本発明は、ファクシミリ通信機能及びナンバーディスプレイ機能を持った全ての画像通信装置に適用可能である。図１は、本実施形態における画像通信装置の構成を示すブロック図である
【００２３】
［システム制御部1の全体構成］
図１において、システム制御部1は、システム全体の制御と主要機能を制御する。制御部10は、システム制御用LSIやCPUから構成され、制御バス15を介して、それぞれのブロックが接続されている。制御部10は、メモリ部11に含まれるＲＯＭ20に記憶されているプログラムに従って装置全体を制御する。
【００２４】
ＲＯＭ20は、フラッシュメモリなど不揮発性メモリであり、システムを制御するためのブートプログラムとメインプログラムが圧縮されて記憶されている。メモリ部11のＲＡＭ21には、DRAMやSRAMで構成され、各種データが格納される。また、DRAMは、プログラム実行エリアでもある。ＲＯＭ20に圧縮されて格納されているプログラムを装置起動時にメモリ部11のDRAM 上に展開して実行する。
【００２５】
不揮発性メモリ22には、装置の電源が遮断された状態にあっても画像や設定データなど保存しておくべきデータが格納される。例えば、受信画像データや送信画像データ、通信相手先の名称やダイヤル情報、通信結果記録、各種設定データ等である。
【００２６】
記録部13は、LBPプリンタ又はその他の形式のプリンタである。制御部10の制御によってＲＡＭ 21または不揮発性メモリ22に格納されている記録データを取り出され、記録部13へ送られることでハードコピーとして印刷出力される。
読取部12は、スキャナである。制御部10の制御によって、不示図のCCDやCMOSラインセンサを用いて読み取ったデータを画像処理し、ＲＡＭ 21や不揮発性メモリ22に格納するものである。
【００２７】
通信部14は、一方で電話回線4及び外付電話機5と接続可能であり、他方で制御バス15と接続可能である。通信部14は、電話回線4からの信号の処理、回線の捕捉及び外付電話5の制御、信号の送信等を行う。
操作部16は、各種動作モードのオペレーションを行うもので、入力用のスイッチと表示器から構成されている
【００２８】
［通信部14の構成］
図１の通信部14の構成について、図２を用いて詳細に説明する。
通信部14は、ファクシミリ通信制御に必要なＭＯＤＥＭ34やＤＡＡ35、呼出信号検出回路33、オフフック検出回路30、及び回線制御のディスクリート部品で構成されている。
【００２９】
ＭＯＤＥＭ34は、ITUTの勧告に合致するG3等のモデムと、これらモデムに接続されたクロック発生回路などによって構成される。そして、ＭＯＤＥＭ34は、制御部10の制御に基づいて、ＲＡＭ21や不揮発性メモリ22に格納されている送信データを変調し、ＤＡＡ35を介して電話回線4に出力する。また、逆にＭＯＤＥＭ34は、ファクシミリ通信の受信データを受信し、ＲＡＭ21や不揮発性メモリ22に格納する。
さらに、ＭＯＤＥＭ34は、ＤＡＡ35と接続するためのＤＡＡインターフェース、システム制御部1と接続するためのSerialインターフェース、画像データ変復調、通信手順制御等を持っている。そして、Commandセットを用いた制御系統をもち、Super-G3,G4等のFAX通信に対応している。
また、ＭＯＤＥＭ34には、電話回線4から着信したアナログ信号が前記ＤＡＡ35を介して入力され、これを復調する。そして、システム制御部1でJBIG等の画像形態に変換され、ＲＡＭ21、又は不揮発性メモリ22へ格納される。
【００３０】
ＤＡＡ35は、半導体IC化されたデータアクセス装置である。このＤＡＡ35には次の機能がある、DC終端(回線捕捉)、AC終端、呼出信号の電圧検知、回線間インピーダンス調整機能、Isolationインターフェースなどである。
コンデンサ41は、ＭＯＤＥＭ34とＤＡＡ35を接続する。これは、両者間の通信をするためのインターフェースとアイソレーションを目的としている
【００３１】
［情報受信端末起動(CAR)信号］
次に図３は、公衆回線網のアナログ加入者線の交換機からに接続された、画像通信装置の前記通信部14にナンバーディスプレイの動作信号が到来したときの信号のタイミングを示す図である。
【００３２】
51は回線がオンフック状態の回線の直流レベルを示す。52は、CAR信号50の着信前の電話回線の極性反転を表したものである。50は、CAR信号を示し、53が鳴動期間で、54は休止期間である。検知する方法としては、CAR信号50を2回、呼出信号検知回路505（図５）で検知したら呼出信号有りと判断するように制御している。56は、一次応答信号でCAR信号を検知後、電話回線を捕捉する動作である。情報サービス信号57は、相手端末の電話番号で、受信完了信号58は、情報サービス信号57の受信終了を示している
【００３３】
［受信シーケンス］
図４は、ナンバーディスプレイの情報サービス信号(電話番号)の受信シーケンスを示す図である。各信号の役割を次に示す。極性反転52は、電話回線の極性反転を示す信号である。極性反転52が着信したら、マニュアルオフフックを禁止にする（59）。CAR信号50は、情報受信端末起動信号である。この時点ですでに、マニュアルオフフックが禁止されているので、CAR信号を確実に受付けることができる。そして、CAR信号とマニュアルオフフックが衝突することがないため、残留呼出信号が来ることもなく、回路破損を防止し、正常な動作をさせることができる。
【００３４】
一次応答信号56は、CAR信号50を検知した後、回線を捕捉したことによって一次応答するものである。
情報サービス信号57は、前記一次応答信号56の後に着信する電話番号である。
受信完了信号58は、電話番号を受信したことを示す信号で、回線開放することで通知している。このとき、マニュアルオフフックの禁止も解除される。
以上の情報サービス信号の受信シーケンスにおいて、極性反転52から、受信完了信号58までの期間59をマニュアルオフフックを禁止している
【００３５】
［通信部14の構成と動作］
【００３６】
（通信部14の構成）
図５は、本実施例の通信部14の詳細図である。通信部14の回線端子17に電話回線4が接続される。また、通信部14は、図１で説明したシステム制御部1と信号をやり取りする。システム制御部1は、操作パネル70に接続されている。操作パネル70は図１の操作部16と同じものである。フックキー71は、操作パネル70が有するものであり、ユーザの指示によってオフフックするためのキーである。極性検知509と510は、電話回線4の極性を検知する回路である。ここではナンバーディスプレイモードでのCAR信号の着信前の回線の極性反転を検知する。 
モデム回路7は、FAX通信を行う信号の送信・受信及び信号検知を行う回路であり、また回線捕捉回路511と回線混触対策回路512を内蔵する。
回線捕捉回路511は、電話回線を閉結するときに回線を捕捉する。
回線混触対策回路512は、電話回線に印加される混触ノイズによる回路破壊を防止するもので、回線捕捉回路511に規定以上の電圧・電流が印加された場合に回線を遮断して回路を保護する機能を持っている。
【００３７】
回線モニター6は、モデム回路7が回線を捕捉してないときに回線上の信号を検知する。
CI検知回路505は、呼出信号(CI)や情報受信端末起動信号(CAR)を検知する回路である。
疑似CI部504は、外付電話機5のベル音を鳴動するための疑似呼出信号(CI)と、HOOK電圧（HOOK検知用の直流電圧）を生成する。
【００３８】
Hリレー2は、外付電話機5と、疑似CI部504または電話回線4との間の接続を切り替えるリレーである。例えば、ナンバーディスプレイモードで、マニュアルオフフックを禁止している期間（59）は、外付電話機5を電話回線4から切り離し、疑似CI部504へ接続する
【００３９】
（通信部14の動作）
ナンバーディスプレイの情報受信端末起動信号(CAR)が着信する場合は、その前に51から52のようにLINEの直流電圧の極性が反転する。ここで図５の通信部14の回線極性検知部509，510によって回線の極性を検知する。ナンバーディスプレイのCAR信号であれば、極性が反転した後に、CAR信号50の正弦波の波形が着信する。
【００４０】
CAR信号50は、国内公衆回線の呼出信号を例に説明すると、周波数16Hz、信号レベル75Vrms、信号形式正弦波でケーデンス0.5秒のON、OFFの繰り返し信号である。前記CAR信号は、図３で示すように所定周期で正弦波状の断続信号によって構成される。これは、呼出信号検知回路505で検知される。
【００４１】
呼出信号検知回路505は、電話回線4から着信した呼出信号を直接受け、電圧レベルが所定の電圧以上の場合、入力信号に基づいて方形波の出力し、制御部10の所定の入力ポートへ送る。制御部10は、ポートに入力されたケーデンスを計測する。ここでCAR信号50が有効な信号であった場合、CAR信号が途切れたタイミングで回線を通信部14の回線捕捉回路511で回線を捕捉する。回線捕捉と同時にCAR信号50は停止する。この回線捕捉を、一次応答という。
【００４２】
一次応答後、図４の情報サービス信号(電話番号)受信シーケンスのようにV.23に準拠した情報サービス信号57が到来する。情報サービス信号57は、通信部14のモデム回路7で受信する。情報サービス信号57の受信が終了したら、受信完了信号58を送出し、回線を開放する。これで、情報サービス信号57の受信が終了した形である。この後、呼出信号(CI)が到来し、画像通信装置のアプリケーションに応じて、情報サービス信号57により得られた電話番号が利用される
【００４３】
［ナンバーディスプレイモードの制御フロー］
次に図６を用いて、本実施例のナンバーディスプレイモードの制御をフローチャートで説明する。
具体的には、実施例１の画像通信装置におけるナンバーディスプレイモードでのマニュアルオフフック禁止によるナンバーディスプレイの動作の異常を防止する制御を説明する。
なお、本フローに係る通信部14の処理プログラムは、システム制御部1のメモリ部11のＲＯＭ20に格納されており、ＲＡＭ21に読み出し、制御部10のCPUによって実行される。
【００４４】
[S11]  S11では、極性検知509，510により、電話回線4の極性反転が検知されたかどうかを判断する。
-極性反転が有った場合は、ナンバーディスプレイモードであるのでS12に進み、
-極性反転が無い場合は、ナンバーディスプレイモード以外の通常の呼であるので、S22に進む。
【００４５】
[S12]  S12で、ユーザによるマニュアルオフフックの禁止を設定して、S13に進む。
[S13]  S13では、CI検知回路505でCAR信号検知を行う。
[S14]  S14で、CAR信号判定し、CAR信号が検知できた（有り）場合は、S15へすすみ、そうでない場合は、S14で待機する。
[S15]  S15で、モデム回路7にて回線を捕捉する。
【００４６】
[S16]  S16では、発信者の電話番号（ナンバー）情報が受信できたかどうかを判断する。
-発信者の電話番号が受信できていれば、S17に進み、
-受信できていなければ、S16に戻り、発信者の電話番号情報の到来を待機する。
[S17]  S17では、受信完了信号を送出し、
[S18]  S18でオフフックができる状態とし、FAX通信の呼出信号CIを受信するために、S19に進む
【００４７】
（S11で極性反転が無かった場合又は情報サービス信号の受信が完了した場合）
[S19]  S19で呼出信号CIを検知する。
[S20]  S20で、呼出信号CIかどうか判定する。
-呼出信号CIでない場合は、S11に戻り、回線の極性反転が有るかどうかの判断を待ち、
-呼出信号CIが検知できた（有り）場合は、S21に進む。
【００４８】
[S21]  S21では、電話回線4を捕捉し、
[S22]  S22で 、FAX通信を実行する。
[S23]  S23で、FAX通信が終了したかどうか判定し、
-終了していなければ、S23で待機し、
-FAX通信が終了していれば、S24に進む。
[S24]  電話回線4を開放し、処理を終了する。
【００４９】
以上のフローによれば、S12〜S17までの期間は、マニュアルオフフックが禁止されることになる。
なお、マニュアルオフフックが禁止された期間においては、マニュアルオフフックがされたかどうか監視を行う。そして、オフフックを検知した場合は、ユーザに音声または、操作部の表示器にメッセージを表示する等で警告や状況を通知するなどの割り込み処理を実行してもよい。
【００５０】
以上、上記実施例によれば、CAR信号を受信した時点から情報サービス信号を受信し終わるまで、ユーザによるマニュアルオフフックを禁止する。それによって、情報サービス信号（電話番号）を確実に受信できるとともに、各信号によるＤＡＡの破壊等も防ぐことができる。
【００５１】
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００５２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ASIC）によっても実現可能である。
【００５３】
また、上述した各種データの構成及びその内容はこれに限定されるものではなく、用途や目的に応じて、様々な構成や内容で構成が可能である。
【符号の説明】
【００５４】
1    システム制御部
4    電話回線
14   ファクシミリ通信部
30   オフフック検知回路
33   呼出信号検知回路
34   モデム
35   ＤＡＡ
505  CI、CAR検知部
【図１】
2017034625.tif 000003
【図２】
2017034625.tif 000004
【図３】
2017034625.tif 000005
【図４】
2017034625.tif 000006
【図５】
2017034625.tif 000007
【図６】
2017034625.tif 000008